(57)【要約】【課題】  点検者がインターホンの音量及び音質が簡易にチェックできるエレベーター用非常通話装置の試験方法を得ること。【解決手段】  監視センター４０の第２受信部４４と第２送信部４８とを電気的に接続する第１ステップと、点検者４がエレベーターに設けられると共に、音波を音声信号に変換するマイクロホン１２に向かって発声する第２ステップと、発声に基づく音声信号を、非常通話用端末２０から通信回線３０を介して監視センター４０に送受信して、エレベーターに設けられると共に、音声信号を音波に変換するスピーカー１４から音声として流す第３ステップと、該音声の音量及び音質を点検者４が判定する第４ステップとを備え、第１ステップから前記第４ステップを順に実行する。【選択図】      図１
2007153474.tif 000002
【特許請求の範囲】
【請求項１】
エレベーター設備の非常時に監視センターと非常通話用端末との間で相互通信を行うエレベーター用非常通話装置の試験方法において、
前記監視センターの受信部と送信部とを電気的に接続する第１ステップと、
点検者が前記エレベーターに設けられると共に、音波を音声信号に変換する音声変換手段に向かって発声する第２ステップと、
前記発声に基づく音声信号を、前記非常通話用端末から前記通信回線を介して前記監視センターに送受信して、前記エレベーターに設けられると共に、音声信号を音波に変換する音声発生手段から音声として流す第３ステップと、
該音声の音量及び音質を前記点検者が判定する第４ステップとを備え、
前記第１ステップから前記第４ステップを順に実行する、
ことを特徴とするエレベーター用非常通話装置の試験方法。
【請求項２】
前記音声信号を記憶手段に記憶した後、所定時間後に記憶手段から前記音声信号を読み出して前記音声発生手段から音声として流す、
ことを特徴とする請求項１に記載のエレベーター用非常通話装置の試験方法。
【請求項３】
前記第３ステップにおいて、反響防止手段により前記音声発生手段から前記音声変換手段に回りこんだ音声が前記監視センターに送信されることを防止する、
ことを特徴とする請求項１又は２に記載のエレベーター用非常通話装置の試験方法。
【発明の詳細な説明】
【技術分野】
【０００１】
本発明は、エレベーター用非常通話装置の試験方法に関するものである。
【背景技術】
【０００２】
従来のエレベーター用非常通話装置は、下記特許文献１に記載のように監視センターと、遠隔地の建物のエレベーター設備に装備された非常通話用端末と、これらの間を接続する通信回線とを備え、エレベーター設備の非常時に監視センターと非常通話用端末との間で相互通信を行うエレベーター用非常通話装置において、監視センターは、非常通話用端末を呼出す呼出し手段と、非常通話用端末に一定出力レベルの音声信号を送出するテスト音声信号送出手段と、非常通話用端末から送られてくる音声信号レベルの高低を判定する音声信号レベル判定手段と備え、非常通話用端末は、監視センターから送られてくるテスト音声信号を受信してエレベーター設備のエレベーターかご内に設置されたスピーカーに出力する音声信号受信手段と、エレベーターかご内にスピーカーに近接して設置されたマイクが拾うスピーカーの出力音声信号を監視センターに送出する音声信号送出手段とを備えている。
【０００３】
かかる非常通話装置によれば、監視センターにおいて遠隔地のエレベーター設備のかご内のインターホン機能を点検しようとする時、監視センター側の呼出し手段によって特定の非常通話用端末を呼出し、通信回線が接続できればテスト音声信号送出手段によって一定出力レベルのテスト音声信号を非常通話用端末に送出する。非常通話用端末ではこのテスト音声信号を音声信号受信手段によって受信してエレベーターかご内のスピーカーに音声出力する。
【０００４】
そしてこのスピーカーのテスト音声出力の際にマイクが拾う音声信号を音声信号送出手段によって監視センターに戻し、監視センター側の音声信号レベル判定手段がテスト音声出力の信号レベルの高低を判定し、その適否を判断する。これによって、エレベーター設備側に技術者がいなくても、監視センター側において、一定出力レベルのテスト音声信号を非常通話用端末に送信し、非常通話用端末から戻ってくるテスト音声出力の信号レベルを評価することによってインターホン機能の状態を判断することができるものである。
【特許文献１】特開平１０−８１４５６号公報
【発明の開示】
【発明が解決しようとする課題】
【０００５】
しかし、エレベーター用非常通話装置では、音声信号レベル判定手段が音声信号のレベル、つまり音量のみを自動判定している。このため、インターホンの音質チェックがされていないという課題があった。
【０００６】
本発明は上記課題を解消するためになされたもので、非常用通話端末を介して監視センターとエレベーターのかご内に設けられたインターホンとを音声信号に基づいて通信して、点検者がインターホンの音量及び音質が簡易にチェックできるエレベーター用非常通話装置の試験方法を提供することを目的とする。
【課題を解決するための手段】
【０００７】
第１の発明に係るエレベーター用非常通話装置の試験方法は、エレベーター設備の非常時に監視センターと非常通話用端末との間で相互通信を行うエレベーター用非常通話装置の試験方法において、前記監視センターの受信部と送信部とを電気的に接続する第１ステップと、点検者が前記エレベーターに設けられると共に、音波を音声信号に変換する音声変換手段に向かって発声する第２ステップと、前記発声に基づく音声信号を、前記非常通話用端末から前記通信回線を介して前記監視センターに送受信して、前記エレベーターに設けられると共に、音声信号を音波に変換する音声発生手段から音声として流す第３ステップと、該音声の音量及び音質を前記点検者が判定する第４ステップとを備え、前記第１ステップから前記第４ステップを順に実行する、ことを特徴とするものである。
【０００８】
第２の発明に係るエレベーター用非常通話装置の試験方法は、音声信号を記憶手段に記憶した後、所定時間後に記憶手段から音声信号を読み出して音声発生手段から音声として流す、ことを特徴とするものである。
【０００９】
第３の発明に係るエレベーター用非常通話装置の試験方法は、第３ステップにおいて、反響防止手段により音声発生手段から音声変換手段に回りこんだ音声が監視センターに送信されることを防止する、ことを特徴とするものである。
【発明の効果】
【００１０】
第１の発明によれば、非常用通話端末を介して監視センターとエレベーターに設けられた音声変換手段からの音声信号に基づいて通信して、点検者が音声発生手段の音量及び音質を簡易にチェックできる。これにより、音声発生手段の音量等をチェックしたので、同時に音声変換手段の機能もチェックできるという効果がある。
【００１１】
第２の発明によれば、音声信号を記憶手段に記憶した後、所定時間後に記憶手段から音声信号を読み出して音声発生手段から音声として流した。これにより、点検者がマイクに向かって発声している間に、音声発生手段から音声が発生することを防止できる。したがって、点検者は、音声発生手段から流れる音声が点検者自身の発声と混在することがなくなる。よって、点検者は音声発生手段から流れる音声の音質及び音量を、客観的に評価できるという効果がある。
【００１２】
第３の発明によれば、第３ステップにおいて、反響防止手段により音声発生手段から音声変換手段に回りこんだ音声が監視センターに送信されることを防止したので、点検者が音声発生手段の音量及び音質を正確にチェックできるという効果がある。
【発明を実施するための最良の形態】
【００１３】
実施の形態１．
本発明の一実施の形態を図１によって説明する。図１は本発明の一実施の形態を示すエレベーターの非常通話装置の全体図である。
図１において、エレベーターは、かご３にロープ６の一端が固定され、ロープ６が滑車５に掛けられ、ロープ６の他端が釣合い錘７に固定されている。
エレベーターの非常通話装置は、かご室に設けられるインターホン１０と、インターホン１０に接続されると共に、エレベーター設備に設けられた非常用通話端末２０と、非常用通話端末２０に通信回線３０により接続された監視センター４０とを備えている。
【００１４】
インターホン１０には、操作部１６を有し、音波を音声信号に変換する音声変換手段としてのマイクロホン１２と音声信号を音波に変換する音声発生手段としてのスピーカー１４とを有すると共に、非常用通話端末２０に接続されている。
【００１５】
非常用通話端末２０には、インターホン１０のマイクロホン１２からの音声を音声信号として送信する送信部２２と、通信回線３０に音声信号などを送受信する回線インターフェース２４と、監視センター４０からの音声信号などを受信してインターホン１０のスピーカー１４から発生する第１受信部２６と、第１受信部２６に接続され、音声信号などを記憶する記憶部２８とを有している。第１受信部２６とインターホン１０との間には、第１送信部２２及び第１受信部２６を通過する音声信号の音量が適正な値か否かを判断する音量判断部２７が設けられている。
【００１６】
第１送信部２２には、第１送信部２２を通過する音声信号に対し第１受信部２６を通過する音声信号成分を除去する補正を成してスピーカー１４からマイクロホン１２に回り込んだ音声が監視センター４０に届くことを防止する反響防止部２２ｃが設けられている。第１受信部２６、第１送信部２２には、それぞれ音量を調整する電子ボリューム２６ａ、２２ａが設けられている。
【００１７】
監視センター４０には、非常通話用端末２０と通信回線３０を介して送受信する回線インターフェース４２と、音声信号などを受信する第２受信部４４と、音声信号などを非常通話用端末２０に送信する第２送信部４８と、第２受信部４４と第２送信部４８とを電気的に開閉するスイッチ手段としての常開スイッチ４６ａ、常閉スイッチ４６ｂとを有している。常開スイッチ４６ａが開放していると、常閉スイッチ４６ｂが閉成し、常開スイッチ４６ａが閉成していると、常閉スイッチ４６ｂが開放するように形成されている。
【００１８】
上記のように構成されたエレベーターの非常通話装置の動作を図１及び図２を参照して説明する。図２は図１に示す非常通話装置の動作を示すフローチャートである。
かご３内の点検者４はインターホン１０の操作部１６に対して所定の試験開始操作をすると、該操作が非常用通話端末２０に入力され、これを受けて非常通話端末２０の回線インターフェース２４は、監視センター４０との回線接続をする(ステップＳ１０１)。
【００１９】
一方、ステップＳ１０１において回線接続に失敗した場合には、接続動作を繰返し(ステップＳ１２１)、回線接続が成功しない場合には、記憶部２８から音声信号「回線を接続できません」を読み出し、これをスピーカー１４から流して点検者４に通知した後(ステップＳ１２５)、試験動作を終了する。
【００２０】
非常用通話端末２０は監視センター４０に試験開始を知らせるデータＡを送信すると共に、監視センター４０から送信される音声信号をスピーカー１４に流すことなく、記憶部２８に一旦記憶させる設定をする。一方、監視センター４０は非常通話端末２０からデータＡを受信すると、第２受信部４４と第２送信部４８とを、非常通話端末２０から送られる音声信号をそのまま非常通話端末２０に返信するための状態に設定すると共に、常開スイッチ４６ａを開放から閉成し、常閉スイッチ４６ｂを閉成から開放する(ステップＳ１０３)。該設定の完了時点で、監視センター４０は非常通話端末２０に設定完了を知らせるためのデータＢを送信する。
【００２１】
一方、上記ステップＳ１０３において、所定時間内に完了しないか否かを判断し(ステップＳ１２３)、完了していない場合、通信回線３０を切断後、記憶部２８から「機器設定ができません」を読み出し、これをスピーカー１４から流して点検者４に報知した後(ステップＳ１２５)、試験動作を終了する。
【００２２】
非常通話端末２０は、データＢを受取ると共に、監視センター４０からの音声信号を記憶部２８に記憶する準備ができたことを確認すると、記憶部２８に記憶されている音声信号のメッセージ「試験を開始します。１０秒以内で音声を入力してください」を読み出してスピーカー１４から流す(ステップＳ１０５)。点検者４は音声メッセージを聞いて、マイクロホン１２に向かって発声する。この際、マイクロホン１２から発生する音声信号は、スピーカー１４から回り込まれた音声信号ではないので、非常通話端末２０の反響阻止部２２ｃで補正を受けずに、通信回線３０を介して監視センター４０に送信され、監視センター４０では、第２受信部４４から第２送信部４８に折り返して再び通信回線３０を経由し非常通話端末２０に戻る。非常通話端末２０は、点検者４の上記所定の音声を発している時間、例えば１０秒、第１受信部２６経由で記憶部２８に監視センター４０から送られてくる音声信号を記憶する(ステップＳ１０７)。
【００２３】
非常通話端末２０は、第１受信部２６と第１送信部２２とを通過する音声信号の平均音量を記憶する(ステップＳ１０７)。非常通話端末２０は、音声入力時間が終了したか否かを判断し(ステップＳ１０９)、記憶部２８に記憶されている音声信号「音声を再生します」を読み出し、これをスピーカー１４から再生する。この後、非常通話端末２０は、記憶部２８に記憶した点検者４の発声した音声信号を読み出し、該音声信号をスピーカー１４から流す(ステップＳ１１１)。点検者４はスピーカー１４から流れる音声について、音量と音質をチェックする。音量判断部２７は、記憶部２８から平均音量を読出し、該平均音量が適正値かチェックする(ステップＳ１１３)。
【００２４】
音量判断部２７がチェックした結果、第１に、音量が適正値の場合、非常用通話端末２０は記憶部２８から音声信号「音量は正常です。試験を終了しますか？」を読み出し、これをスピーカー１４から流す(ステップＳ１１５)。点検者４は該メッセージを聞き、ステップＳ１１３における音質もよければ、操作部１６を用いて試験の終了可を非常通話端末２０に通知する(ステップＳ１１７)。これを受けて、非常通話端末２０は回線を切断して試験を終了する。
音質を再チェックする場合、点検者４は、インターホン１０の操作部１６から終了不可を操作し、これを受けて非常通話端末２０はステップＳ１０５〜Ｓ１１５を再実行する。
【００２５】
第２に、音量が不適正の場合、音量判断部２７は記憶部２８から音声信号「音量に異常があります。音量を自動調整して再度試験を行います」を読み出し、これをスピーカー１４から流した後、第１受信部２６と第１送信部２２の電子ボリューム２６ａ，２２ａを適正値に調整する(ステップＳ１１９)。この後、点検者４に再チェックさせるため、ステップＳ１０５〜Ｓ１１５を再実行する。
【００２６】
試験終了後、音質に問題がある場合は、点検者４は必要に応じて、インターホン１０，非常通話端末２０の機器等、それらを接続するケーブルや回線に異常がないか点検する。
【００２７】
上記実施形態の非常通話装置の試験方法によれば、エレベーター設備の非常時に監視センター４０と非常通話用端末３０との間で相互通信を行うエレベーター用非常通話装置の試験方法において、監視センター４０の第２受信部４４と第２送信部４８とを電気的に接続する第１ステップと、点検者４がエレベーターに設けられると共に、音波を音声信号に変換するマイクロホン１２に向かって発声する第２ステップと、発声に基づく音声信号を、非常通話用端末２０から通信回線３０を介して監視センター４０に送受信して、エレベーターに設けられると共に、音声信号を音波に変換するスピーカー１４から音声として流す第３ステップと、該音声の音量及び音質を点検者４が判定する第４ステップとを備え、第１ステップから前記第４ステップを順に実行する。これにより、非常用通話端末３０を介して監視センター４０とエレベーターのかご４内に設けられたインターホン１０とを音声信号に基づいて通信して、点検者４がインターホン１０の音量及び音質を簡易にチェックできる。
【産業上の利用可能性】
【００２８】
本発明は、エレベーターの非常通話装置に適用できる。
【図面の簡単な説明】
【００２９】
【図１】本発明の一実施の形態を示すエレベーターの非常通話装置の全体図である。
【図２】図１に示すエレベーターの非常通話装置の動作を示すフローチャートである。
【符号の説明】
【００３０】
３  かご、４  点検者、１０  インターホン、１２  マイクロホン、１４  スピーカー、２０  非常用通話端末、４０  監視センター、４４  第２受信部、４６  切換えスイッチ、４８  第２送信部。
【図１】
2007153474.tif 000003
【図２】
2007153474.tif 000004